(57)【要約】【課題】  持ち運びが容易であるとともに、厚さの薄いバッグ等の収納空間にも容易に収納することができ、且つボトル内の液体を凍結させる際に中心部が凍結するまでの時間を短縮することができる飲料用ボトルを提供する。【解決手段】  内部が空洞である略薄直方体形状の胴部４と、該胴部４の最も奥行きが狭くなる面のうちのいずれか１つを上部４１とし、該上部４１から上方へ向かって突出する円筒形状の口部３と、該口部３の開口を開閉するために当該口部３に脱着可能な蓋部材２とを備える飲料用ボトル１。【選択図】図１
0003160572.tif 000002
【実用新案登録請求の範囲】
【請求項１】
内部が空洞である略薄直方体形状の胴部と、
該胴部の最も奥行きが狭くなる面のうちのいずれか１つを上部とし、該上部から上方へ向かって突出する円筒形状の口部と、
該口部の開口を開閉するために当該口部に脱着可能な蓋部材とを備えることを特徴とする飲料用ボトル。
【請求項２】
前記胴部は、当該胴部の幅に対する奥行きの寸法比率（奥行き／幅）又は高さに対する奥行きの寸法比率（奥行き／高さ）の少なくともいずれか一方が０．１２５以上０．２以下になるように形成されていることを特徴とする請求項１記載の飲料用ボトル。
【請求項３】
前記上部の反対側に位置する前記胴部の底部には、段積みの際に前記蓋部材が装着された口部を収納するための口部収容用凹部が形成されていることを特徴とする請求項１又は２記載の飲料用ボトル。
【請求項４】
前記上部には、上方へ向かって突出する突起部が設けられ、前記底部には、段積みの際に前記上部に設けられた突起部を収納するための突起部収納用凹部が形成されていることを特徴とする請求項１乃至３のいずれかに記載の飲料用ボトル。
【請求項５】
前記口部の直径と略同じ奥行きを有し、前記口部の下端から前記胴部の幅方向側へ傾斜して、前記胴部の上部へと連なる肩部を備え、前記底部に形成される前記口部収納用凹部は、段積みの際に前記口部及び肩部を収納するように形成されることを特徴とする請求項１乃至４のいずれかに記載の飲料用ボトル。
【考案の詳細な説明】
【技術分野】
【０００１】
本考案は、飲料等の液体を収容する飲料用ボトルに関するものである。
【背景技術】
【０００２】
従来から、水、お茶、又はジュース等の清涼飲料水といった飲料を収容するための容器として、金属缶の他にＰＥＴボトル等のプラスチックボトルが一般的に用いられている。これらの飲料用のプラスチックボトルには、５００ｍｌサイズ以下の小型サイズ、１０００ｍｌ前後の中型サイズ、及び１５００〜２０００ｍｌの大型サイズのもの等がある。
【０００３】
また、近年では水筒等の代わりに５００ｍｌサイズ以下の小型サイズや１０００ｍｌ前後の中型サイズといったプラスチックボトルをバッグ等に収納して持ち運ぶ場合が多く見られるようになってきている。これらのプラスチックボトルの従来の形状としては、主にボトルの断面が略正方形状又は円形状のものが一般的に多く用いられている（例えば、特許文献１参照）。
【先行技術文献】
【特許文献】
【０００４】
【特許文献１】特開２００３−０６３５１５号公報
【考案の概要】
【考案が解決しようとする課題】
【０００５】
しかしながら、ボトルの断面が略正方形状のものや特許文献１のように円形状のものでは、厚さの薄いバッグ等の収納空間に収めるのは困難である。また、仮に収まったとしても厚さ方向のスペースを大きくとってしまうため、その他の用具がバッグに上手く収納できないという問題がある。また、ボトルの中の液体を凍結させる際に、中心部が凍結するまで時間を要するという問題がある。また、ボトルを手で持つ場合にも、断面が略正方形状又は円形状のものでは、胴部のどこを掴んでも厚みが略同じになるため掴み難く、手で長時間持ち運ぶには適さないという問題がある。
【０００６】
本考案は、上記のような課題に鑑みてなされたものであって、持ち運びが容易であるとともに、厚さの薄いバッグ等の収納空間にも容易に収納することができ、且つボトル内の液体を凍結させる際に中心部が凍結するまでの時間を短縮することができる飲料用ボトルを提供することを目的とする。
【課題を解決するための手段】
【０００７】
上記の目的を達成するために請求項１に記載の飲料用ボトルは、内部が空洞である略薄直方体形状の胴部と、該胴部の最も奥行きが狭くなる面のうちのいずれか１つを上部とし、該上部から上方へ向かって突出する円筒形状の口部と、該口部の開口を開閉するために当該口部に脱着可能な蓋部材とを備えることを特徴としている。
【０００８】
請求項２記載の飲料用ボトルは、前記胴部の幅に対する奥行きの寸法比率（奥行き／幅）又は高さに対する奥行きの寸法比率（奥行き／高さ）の少なくともいずれか一方が０．１２５以上０．２以下になるように形成されていることを特徴としている。
【０００９】
請求項３記載の飲料用ボトルは、段積みの際に前記蓋部材が装着された口部を収納するための口部収容用凹部が前記上部の反対側に位置する前記胴部の底部に形成されていることを特徴としている。
【００１０】
請求項４記載の飲料用ボトルは、上方に向かう突起部が前記胴部の上部に設けられ、段積みの際に前記上部に設けられた突起部を収納するための突起部収納用凹部が前記底部に形成されていることを特徴としている。
【００１１】
請求項５記載の飲料用ボトルは、前記口部の直径と略同じ奥行きを有し、前記口部の下端から前記胴部の幅方向側へ傾斜して、前記胴部の上部へと連なる肩部を備え、前記底部に形成される前記口部収納用凹部は、段積みの際に前記口部及び肩部を収納するように形成されることを特徴としている。
【考案の効果】
【００１２】
請求項１に記載の飲料用ボトルによれば、内部に飲料等の液体を収容する胴部が略薄直方体形状に形成されているので、断面が正方形状又は円形状のボトルに比べて奥行きを狭くすることができる。これにより、バッグ等にも収納し易くなる。また、断面が正方形状又は円形状のボトルに比べて胴部からボトルの中心部までの最短距離が短くなるので、ボトル内の液体を凍結させる際に中心部が凍結するまでの時間を短縮することができる。また、ボトルを手で持ち歩く場合でも胴部の奥行きが狭いので、掴み易くなる。
【００１３】
請求項２に記載の飲料用ボトルによれば、略薄直方体形状の胴部は、当該胴部の幅に対する奥行きの寸法比率（奥行き／幅）又は高さに対する奥行きの寸法比率（奥行き／高さ）の少なくともいずれか一方が０．１２５以上０．２以下になるように形成されている。従って、奥行きがほとんどスペースをとることがないので、厚さの薄いバッグ等の収納空間でも容易に収納することができる。また、ボトルを手で持ち歩く場合でも胴部の奥行きが狭いので、この胴部を本を持って歩くような感覚で容易に掴むことができ、持ち運びに便利である。また、胴部の幅方向及び高さ方向からなる面は、広くなるので、その面に宣伝用のラベル等を設けることにより、広告面としても有効に活用することができる。
【００１４】
請求項３に記載の飲料用ボトルによれば、ボトルの底部には、蓋部材が装着された口部を収納する凹部が形成されているので、複数のボトルを段積みした際でも下側のボトルの口部は、上側のボトルの底部に形成された凹部に収納される。これにより、下側のボトルの口部が、外部に出ないので、ボトルを段積みする際に嵩張るのを抑制することができる。
【００１５】
請求項４に記載の飲料用ボトルによれば、胴部の上部に突起部が設けられ、底部には、その突起部を収納する突起部収納用凹部が形成されているので、ボトルを段積みした際、下側のボトルの突起部は、上側のボトルの底部に形成される突起部収納用凹部に収納される。従って、ボトルを段積みした際に、上側のボトルが回転するのを防止することができる。
【００１６】
請求項５に記載のボトルによれば、口部の下端から前記胴部の幅方向側へ傾斜して、前記胴部の上面に連なるように肩部が設けられているので、胴部の内部に収容される飲料が少量になった場合でもボトルを下向きにすることにより、飲料は肩部へと流れ込み、飲料を飲み易くすることができる。
【図面の簡単な説明】
【００１７】
【図１】本考案の第１の実施形態に係る飲料用ボトルの一例を示す概略斜視図である。
【図２】本考案の第１の実施形態に係る飲料用ボトルの正面図であって、（ａ）は口部に蓋部材を装着していない場合を示しており、（ｂ）は口部に蓋部材を装着した場合を示している。
【図３】本考案の第１の実施形態に係る飲料用ボトルを示す図であって、（ａ）はボトルの平面図、（ｂ）はボトルの底面図である。
【図４】本考案の第１の実施形態に係る飲料用ボトルの側面図である。
【図５】本考案の第１の実施形態に係る飲料用ボトルをバッグに収納した場合の状態の一例を示す概略平面断面図である。
【図６】本考案の第１の実施形態に係る飲料用ボトルを段積みした状態を示す正面図である。
【図７】本考案の第２の実施形態に係る飲料用ボトルの一例を示す概略斜視図である。
【図８】本考案の第２の実施形態に係る飲料用ボトルの正面図である。
【図９】本考案の第２の実施形態に係る飲料用ボトルの側面図である。
【図１０】本考案の第３の実施形態に係る飲料用ボトルの一例を示す概略斜視図である。
【図１１】本考案の第３の実施形態に係る飲料用ボトルの正面図である。
【図１２】本考案の第３の実施形態に係る飲料用ボトルを示す図であって、（ａ）はボトルの平面図、（ｂ）はボトルの底面図である。
【図１３】本考案の第３の実施形態に係る飲料用ボトルを段積みした状態を示す正面図である。
【図１４】本考案の第４の実施形態に係る飲料用ボトルの一例を示す概略斜視図である。
【図１５】本考案の第４の実施形態に係る飲料用ボトルの正面図である。
【図１６】本考案の第４の実施形態に係る飲料用ボトルを示す図であって、（ａ）はボトルの平面図、（ｂ）はボトルの底面図である。
【図１７】本考案の第４の実施形態に係る飲料用ボトルを段積みした状態を示す正面図である。
【考案を実施するための形態】
【００１８】
以下、本考案に係る飲料用ボトル１について、図面を参照しながら説明する。本考案の第１の実施形態に係る飲料用ボトル１は、主に水、お茶、又はジュース等の清涼飲料水を収容するプラスチック製のボトルである。この飲料用ボトル１は、図１〜４に示すように、蓋部材２と、該蓋部材２が脱着可能な口部３と、該口部３の下部に連なって設けられる略薄直方体形状の胴部４とからなるものである。また、飲料用ボトル１は、ポリエチレン、ポリプロピレン、ポリエチレンナフタレート等の熱可塑性樹脂を主な原料として用いて、従来公知の延伸成形法等により作製される。
【００１９】
口部３は、飲料用ボトル１の内部に収容された飲料水を外部へ出すための注ぎ口として機能するものであり、円筒状に形成されている。この円筒状の口部３は、胴部４の上部４１の中央部から上方へ向かって突出するように設けられている。図３に示すように、口部３の直径は、胴部４の奥行きＤよりも若干小さくなるように形成されている。また、口部３の外周には、図２の（ａ）に示すように、蓋部材２を螺着するための雄ネジ部３１が形成されており、蓋部材２を雄ネジ部３１に対して回転操作することにより、口部３の開口を開閉する。この蓋部材２は、ポリエチレンやポリプロピレン等の熱可塑性樹脂を用いて、射出成形法により作製される。
【００２０】
胴部４は、口部３の下部に連なって設けられている。この胴部４は、飲料水等の液体を収容するため内部が空洞の略薄直方体形状のものであり、幅Ｗ方向の四隅には略４５°の面取り部４２が形成されている。また、胴部４は、図３に示すように、幅Ｗに対して奥行きＤは小さく形成されており、具体的には幅Ｗに対する奥行きＤの寸法比率（Ｄ／Ｗ）の値が、０．１２５以上０．２以下になるように形成される。このような寸法比率にすることにより、飲料用ボトル１を載置する際のバランスを保つことができるとともに、飲料用ボトル１内の液体を凍結させる際に中心部が凍結するまでの時間を短縮することができるので、効率的である。尚、飲料用ボトル１の収容容量は、一般的なプラスチックボトルと同様に５００ｍｌサイズ以下の小型サイズから１０００ｍｌ前後の中型サイズ、及び１５００〜２０００ｍｌの大型サイズのものまで想定される。従って、例えば、５００ｍｌの飲料を収容する場合には、胴部４の幅Ｗを２００ｍｍ、奥行きＤを２５ｍｍ、高さＨを１００ｍｍ等というように設定する。同様に１０００ｍｌの飲料を収容する場合には、胴部４の幅Ｗを２００ｍｍ、奥行きＤを２５ｍｍ、高さＨを２００ｍｍ、２０００ｍｌの飲料を収容する場合には、胴部４の幅Ｗを２００ｍｍ、奥行きＤを２５ｍｍ、高さＨを２５０ｍｍというように設定することにより、適宜目的の収容容量になるように形成することができる。尚、上記の寸法は一例を示すものであり、幅Ｗに対する奥行きＤの寸法比率（Ｄ／Ｗ）の値が、０．１２５以上０．２以下になるように形成されておれば、これらの値は特に限定されるものではない。
【００２１】
このように、胴部４は、幅Ｗに対して奥行きＤが小さくなるように形成されているので、図５に示すように、バッグＸの厚さが小さくても奥行きＤをバッグＸの厚さＤ１方向と一致させることにより容易に収納させることができる。従って、厚さＤ１の残りの厚さ方向の収納空間Ｖに本、ノート、手帳等の用具Ｙ等を収納することが容易になるので、バッグＸの収納空間Ｖに無駄な空き空間を生じさせることがなく、有効に活用することができる。また、胴部４の奥行きＤは狭いので、奥行き方向であれば、本を持つような感覚で容易に掴むことができる。また、図２に示すように、胴部４の幅Ｗ方向及び高さＨ方向からなる面Ｓは、広くなるので、その面Ｓ側に販売促進用の宣伝広告ラベル（不図示）等を設けても良い。尚、本実施形態では、胴部４の面はそれぞれ水平な場合の例を示しているが、強度を向上させるために、数ｍｍ程度の凹凸等を形成するようにしても良い。
【００２２】
上部４１の反対側に位置する底部４３には、図２及び図３の（ｂ）等に示すように、中央部に口部収納用凹部５が形成されている。この口部収納用凹部５は、段積み時に蓋部材２が装着された口部３を収納するためのものであり、蓋部材２の直径よりも若干大きな径を有する略円柱形状に形成され、その深さは蓋部材２を装着した際の口部３が収まるように形成されている。
【００２３】
従って、ボトル１を段積みした場合は、図６に示すように、下側に位置する飲料用ボトル１の口部３が上側に位置する飲料用ボトル１の底部４３に形成された口部収納用凹部５に収納された状態で、上側の飲料用ボトル１が下側の飲料用ボトル１の上部４１に載置されることになる。このように、飲料用ボトル１を段積みする場合に、下側の飲料用ボトル１の口部３は外部に出ないので、容易に飲料用ボトル１を段積みすることができるとともに、口部３が外部に突出するために嵩張ってしまうのを抑制することができる。また、口部３が口部収納用凹部５内に収納されているので、位置ずれが生じ難い。
【００２４】
図７〜９は、第２の実施形態に係る飲料用ボトル１ａを示しており、この飲料用ボトル１ａでは、略薄直方体形状の胴部４が縦長に形成されている。尚、ここでは、第１の実施形態に係る飲料用ボトル１と同様の構成については同一の符号を付し、その詳細な説明は省略する。
【００２５】
この飲料用ボトル１ａでは、図７及び図８に示すように、胴部４の強度を向上させるために、上部４１及び幅Ｗ方向と高さＨ方向からなる面Ｓに数ｍｍ程度の段差４４を形成している。
【００２６】
また、この飲料用ボトル１ａでは、図９に示すように、口部３の下部から連なって設けられている胴部４は、高さＨに対して奥行きＤは小さく形成されており、具体的には高さＨに対する奥行きＤの寸法比率（Ｄ／Ｈ）の値が、０．１２５以上０．２以下になるように形成されている。従って、例えば、５００ｍｌの飲料を収容する場合には、胴部４の高さＨを２００ｍｍ、奥行きＤを２５ｍｍ、幅Ｗを１００ｍｍ等というように設定して飲料用ボトル１ａが形成される。これにより、図７及び図８に示すように、胴部４の幅Ｗ方向及び高さＨ方向からなる面Ｓは、広くなるので、宣伝広告等を行う広告面としても有効に活用することができる。尚、上記の寸法は一例を示すものであり、高さＨに対する奥行きＤの寸法比率（Ｄ／Ｈ）の値が、０．１２５以上０．２以下になるように形成されておれば、これらの値は特に限定されるものではない。このような寸法比率にすることにより、飲料用ボトル１内の液体を凍結させる際に中心部が凍結するまでの時間を短縮することができるので、効率的である。また、飲料用ボトル１ａの収容容量も５００ｍｌに限定されるものではなく、５００ｍｌサイズ以下の小型サイズから１０００ｍｌ前後の中型サイズ、及び１５００〜２０００ｍｌの大型サイズに合うように適宜設定することができる。
【００２７】
また、この飲料用ボトル１ａでも、図７，８に示すように、第１の実施形態に係る飲料用ボトル１と同様に底部４３の中央部に蓋部材２が装着された口部３を収納するための口部収納用凹部５が形成されているので、飲料用ボトル１ａを段積みした際でも下側の飲料用ボトル１ａの口部３を上側の飲料用ボトル１ａの底部４３に形成された口部収納用凹部５に収納することができる。これにより、下側の飲料用ボトル１ａの口部３が、外部に出ないので、飲料用ボトル１ａを段積みした際に嵩張るのを抑制することができる。また、口部３が口部収納用凹部５内に収納されているので、位置ずれが生じ難い。
【００２８】
次に、第３の実施形態に係る飲料用ボトル１ｂについて、図１０〜１２を用いて説明する。尚、この第３の実施形態に係る飲料用ボトル１ｂについても第１の実施形態に係る飲料用ボトル１と同様の構成については同一の符号を付し、その詳細な説明は省略する。
【００２９】
この飲料用ボトル１ｂは、図１０〜１２に示すように、第１の実施形態に係る飲料用ボトル１の構成において、胴部４の上部４１の両側から上方へ向かって突起部６が設けられ、底部４３には突起部収納用凹部７が形成されたものである。
【００３０】
突起部６は、図１２の（ａ）に示すように、胴部４の奥行きＤ方向の中央に位置し、且つ口部３を中心として幅Ｗ方向に対称な位置に２つ設けられている。この突起部６は、略円柱形状に形成されており、突起部収納用凹部７に収納し易いように下端よりも上端が若干細めに形成されている。尚、本実施形態では、略円柱形状の突起部６を例として示しているが、この突起部６の形状はこれに限定されるものではなく、断面が多角形状のもの等でも良い。また、本実施形態では、２つの突起部６を設けた場合の例を示しているが、この個数も特に限定されるものではなく、１つ又は３つ以上の複数個設けても良い。また、突起部６の位置も図１０〜１２に示す位置に限定されるものではなく、上部４１の所定の位置に設けることができる。但し、その場合には、飲料用ボトル１ｂの底部４３に形成される突起部収納用凹部７の位置及び個数は、突起部６が設けられる位置及び突起部６の個数に対応するように形成しておく必要がある。
【００３１】
飲料用ボトル１ｂの底部４３は、図１１及び図１２の（ｂ）に示すように、蓋部材２が装着された口部３を収納するための口部収納用凹部５とともに、突起部６を収納するための突起部収納用凹部７が形成されている。従って、ボトル１ｂを段積みした場合には、図１３に示すように、下側に位置する飲料用ボトル１ｂの口部３が上側に位置する飲料用ボトル１ｂの底部４３に形成された口部収納用凹部５に収納されるとともに、下側に位置する飲料用ボトル１ｂの突起部６も上側に位置する飲料用ボトル１ｂの底部４３に形成された突起部収納用凹部７に収納されることになる。これにより、飲料用ボトル１ｂを段積みする場合に、下側の飲料用ボトル１ｂの口部３は外部に出ないので、嵩張るのを抑制することができるとともに、突起部収納用凹部７に収納された突起部６により、位置ずれを防止すると共に、上側の飲料用ボトル１ｂが下側の飲料用ボルト１ｂの口部３を中心に回転するのを防止することができる。尚、本実施形態では、胴部４が横長の薄直方体形状である場合を例に説明したが、第２の実施形態に係るボトル１ａのように縦長の薄直方体形状である胴部４の場合にも上記構成は同様に適用することができる。
【００３２】
次に、第４の実施形態に係る飲料用ボトル１ｃについて、図１４〜１６を用いて説明する。尚、この第４の実施形態に係る飲料用ボトル１ｃについても第１の実施形態に係る飲料用ボトル１と同様の構成については同一の符号を付し、その詳細な説明は省略する。
【００３３】
飲料用ボトル１ｃは、図１４及び図１５に示すように、口部３の下部に連なって肩部８が形成されている。この肩部８は、口部３の下端から胴部４の上部４１の幅Ｗ方向側へ対称に広がるように傾斜している。肩部８は、図１６の（ａ）に示すように、奥行きＤ方向の寸法は、口部３の直径と略同じになるように形成されている。尚、本実施形態では、肩部８は、直線状に傾斜している例を示しているが、この傾斜の仕方はこれに限定されるものではなく、滑らかな曲面を描くように傾斜させても良い。このように、口部３の下部から胴部４の上部４１に傾斜する肩部８を設けることにより、飲料用ボトル１ｃの内部に収容される飲料水が少量になった場合でもこの飲料用ボトル１ｃを下向きにすることにより、飲料水は肩部８へと流れ込む漏斗の役割を果たすので、内部の飲料水を最後まで確実に外部に出すことができる。
【００３４】
飲料用ボトル１ｃの胴部４は、図１４及び図１５に示すように、幅Ｗ方向の四隅に曲面部４２ａが形成されている。尚、この曲面部４２ａの曲率は、飲料用ボトル１ｃのサイズ等に合わせて適宜設定すれば良い。また、胴部４の周面には、対になるように凸部９と凹部１０がそれぞれ形成されている。凹部１０は、凸部９が収納できるように凸部９よりも若干大きめに形成されている。従って、飲料用ボトル１ｃを幅Ｗ方向側又は奥行きＤ方向側に複数並べる場合には、この凸部９を隣接する他の飲料用ボトル１ｃの対応する凹部１０に収納することにより、正確に位置決めされた状態で並べることができる。
【００３５】
また、飲料用ボトル１ｃの底部４３には、図１５及び図１６の（ｂ）に示すように、口部収納用凹部５ａが形成されている。この口部収納用凹部５ａは、蓋部材２が装着された口部３及び肩部８を収納するためにこれらを合わせた形状よりも若干大きめに形成されている。従って、飲料用ボトル１ｃを段積みする場合は、図１７に示すように、下側に位置する飲料用ボトル１ｃの口部３及び肩部８が上側に位置する飲料用ボトル１ｃの底部４３に形成された口部収納用凹部５ａに収納された状態で、上側の飲料用ボトル１ｃが下側の飲料用ボトル１ｃの上部４１に載置されることになる。このように、飲料用ボトル１ｃを段積みする場合に、下側の飲料用ボトル１ｃの口部３及び肩部８は外部に出ないので、安定した状態で飲料用ボトル１ｃを段積みすることができるとともに、嵩張るのを抑制することができる。また、肩部８も口部収納用凹部５ａに収納されるので、飲料用ボトル１ｃを段積みした際に上側の飲料用ボトル１ｃが下側の飲料用ボトル１ｃの口部３を中心に回転するのを防止することができる。また更に、胴部４の上部４１に突起部６を設けて、底部４３に突起部収納用凹部７を形成するようにしても良い。これにより、位置ずれを生じさせることなく、更に確実に回転を防止することができるので、安定した状態で飲料用ボトル１ｃを段積みすることができる。
【００３６】
尚、本考案の実施の形態は上述の形態に限るものではなく、本考案の思想の範囲を逸脱しない範囲で適宜変更することができることは云うまでもない。
【符号の説明】
【００３７】
１、１ａ、１ｂ、１ｃ    ボトル
２                      蓋部材
３                      口部
４                      胴部
４１                    上部
４３                    底部
５、５ａ                口部収納用凹部
６                      突起部
７                      突起部収納用凹部
８                      肩部
【図１】
0003160572.tif 000003
【図２】
0003160572.tif 000004
【図３】
0003160572.tif 000005
【図４】
0003160572.tif 000006
【図５】
0003160572.tif 000007
【図６】
0003160572.tif 000008
【図７】
0003160572.tif 000009
【図８】
0003160572.tif 000010
【図９】
0003160572.tif 000011
【図１０】
0003160572.tif 000012
【図１１】
0003160572.tif 000013
【図１２】
0003160572.tif 000014
【図１３】
0003160572.tif 000015
【図１４】
0003160572.tif 000016
【図１５】
0003160572.tif 000017
【図１６】
0003160572.tif 000018
【図１７】
0003160572.tif 000019
【手続補正書】
【提出日】平成22年4月16日(2010.4.16)
【手続補正１】
【補正対象書類名】実用新案登録請求の範囲
【補正対象項目名】請求項３
【補正方法】変更
【補正の内容】
【請求項３】
前記上部の反対側に位置する前記胴部の底部には、段積みの際に前記蓋部材が装着された口部を収納するための口部収納用凹部が形成されていることを特徴とする請求項１又は２記載の飲料用ボトル。
【手続補正２】
【補正対象書類名】実用新案登録請求の範囲
【補正対象項目名】請求項４
【補正方法】変更
【補正の内容】
【請求項４】
前記上部には、上方へ向かって突出する突起部が設けられ、前記底部には、段積みの際に前記上部に設けられた突起部を収納するための突起部収納用凹部が形成されていることを特徴とする請求項３に記載の飲料用ボトル。
【手続補正３】
【補正対象書類名】実用新案登録請求の範囲
【補正対象項目名】請求項５
【補正方法】変更
【補正の内容】
【請求項５】
前記口部の直径と略同じ奥行きを有し、前記口部の下端から前記胴部の幅方向側へ傾斜して、前記胴部の上部へと連なる肩部を備え、前記底部に形成される前記口部収納用凹部は、段積みの際に前記口部及び肩部を収納するように形成されることを特徴とする請求項３又は４に記載の飲料用ボトル。
【手続補正４】
【補正対象書類名】明細書
【補正対象項目名】０００９
【補正方法】変更
【補正の内容】
【０００９】
請求項３記載の飲料用ボトルは、段積みの際に前記蓋部材が装着された口部を収納するための口部収納用凹部が前記上部の反対側に位置する前記胴部の底部に形成されていることを特徴としている。